(57)【要約】【課題】両手を使って入力操作をしなければならない携帯ゲーム機筐体を装着し、片手ですべてのゲーム入力操作ができるようにした携帯ゲーム機片手操作用アダプタを提供する。【解決手段】グリップ１０に各ボタン操作部を配置し、携帯ゲーム機の各ボタンに各ボタン押下ユニット１，２，３および４を対面させた状態で携帯ゲーム機を筐体支持枠１１に装着する。グリップ１０を把持し、親指で各ボタン操作部を押すことにより、片手で携帯ゲーム機の各ボタンを操作することができる。【選択図】図１
2010178866.tif 000002
【特許請求の範囲】
【請求項１】
携帯ゲーム機筐体を装着固定するための筐体支持枠と、
前記筐体支持枠に装着固定した前記携帯ゲーム機筐体の各ボタンに対面する押し突起を有する複数のボタン押下ユニット手段と、
前記筐体支持枠に接続され、片手で把持可能な複数のボタン操作部を有するグリップとを備え、
前記グリップのボタン操作部を操作したとき、該ボタン操作部に対応する前記ボタン押下ユニット手段の押し突起が突出し、対面する携帯ゲーム機筐体のボタンをオン動作させることを特徴とする携帯ゲーム機片手操作用アダプタ。  
【請求項２】
前記筐体支持枠に接続されたグリップは縦長の矩形状であり、
前面に十字ボタン操作部および各機能ボタン操作部を縦方向に配置したことを特徴とする請求項１記載の携帯ゲーム機片手操作用アダプタ。
【請求項３】
前記十字ボタン操作部の上位置の前面に左側面ボタン操作部および右側面ボタン操作部を配置したことを特徴とする請求項２記載の携帯ゲーム機片手操作用アダプタ。
【請求項４】
前記左側面ボタン操作部および右側面ボタン操作部を前面の横方向または縦方向に配置したことを特徴とする請求項３記載の携帯ゲーム機片手操作用アダプタ。
【請求項５】
前記十字ボタン操作部および各機能ボタン操作部に対応するボタン押下ユニットは、十字状の４つの押し突起を有し、各押し突起で対面する十字ボタンおよび各機能ボタンをオン動作させることを特徴とする請求項１，２，３または４記載の携帯ゲーム機片手操作用アダプタ。
【請求項６】
前記十字ボタン押下ユニット手段および各機能ボタン押下ユニット手段は前記筐体支持枠に枢着され、
携帯ゲーム機を前記筐体支持枠に装着固定するときは前記十字ボタン押下ユニット手段および各機能ボタン押下ユニット手段を前記携帯ゲーム機を装着固定する空間部から退避させ、装着固定後、元の位置に復帰させるように構成したことを特徴とする請求項１，２，３，４または５記載の携帯ゲーム機片手操作用アダプタ。
【発明の詳細な説明】
【技術分野】
【０００１】
本発明は、携帯ゲーム機の入力操作を片手で行うことができるアダプタに関する。
【背景技術】
【０００２】
多くの携帯形ゲーム機は、両手で持ち両手で操作するインターフェースになっている。例えば、中央に液晶パネルが配置され、液晶パネルの左右に十字キーや複数個の各機能ボタンなどを設けた構造であり、左手は携帯形ゲーム機筐体の左端を、右手は携帯ゲーム機筐体の右端をそれぞれ掴み、左手および右手の親指で十字キーや４つの各機能ボタンを押すような構造である。また、上側側面にもボタンを配置し、左手および右手の人指し指で操作できる携帯形ゲーム機が存在する。
【０００３】
また、折り畳み式携帯ゲーム機も、液晶パネルを有する上側筐体を開いた状態で、下側筐体に配置される液晶パネル，各ボタンなどの配置も上記と同じような構造であり、入力操作するために左右の手が必要となる。
【０００４】
これら携帯形ゲーム機でゲームプレイするためには、両手を用いることが必要であり、例えば、片手に荷物を持っていたり、電車やバスの中で吊り革や手すりに掴まったりしている場合、ゲームを行うことができない。ゲームを行うためには、持っている荷物をおろしたり、また吊り革などを離したりしなければならない。荷物を持っている場合は、歩きながらゲームを行うことはできない。また電車，バスの中では立った状態で手で体を保持しないと危険である。
【０００５】
一方、片手で操作できるゲーム機が存在するが、そのゲーム機筐体は手のひら中に収まるような小さい形状であり、液晶パネルの下方に設けられている複数のボタンを親指などで操作できるような構造にしたものである。このような携帯形ゲーム機はメモリカード装着部がなく、筐体も大きくないため、簡単なゲームは可能であるものの複雑で大規模のゲームを組み込むことができない。よってプレイヤの要求を満たすには十分とは言えない。
【先行技術文献】
【特許文献】
【０００６】
【特許文献１】実用新案登録第３０６５１８７号公報
【０００７】
特許文献１で提案されている超小型コンピュータは操作パネルを超小型コンピュータに装着し操作パネルに一体に設けられている電池から超小型コンピュータに電源を供給しており、外部から電源を供給しつつ操作パネルにボタンを配置して入力操作も行うことができるようにしたものである。
特許文献１も上記構造の範疇に含まれる外観形状，性能を有し、片手操作ができるが、プレイヤの要求を満たすゲームができるゲーム機ではない。
【発明の概要】
【発明が解決しようとする課題】
【０００８】
本発明の目的は、両手を使って入力操作をしなければならない携帯ゲーム機筐体を装着し、片手ですべてのゲーム入力操作ができるようにした携帯ゲーム機片手操作用アダプタを提供することにある。
【課題を解決するための手段】
【０００９】
前記目的を達成するために本発明の請求項１は携帯ゲーム機筐体を装着固定するための筐体支持枠と、前記筐体支持枠に装着固定した前記携帯ゲーム機筐体の各ボタンに対面する押し突起を有する複数のボタン押下ユニット手段と、前記筐体支持枠に接続され、片手で把持可能な複数のボタン操作部を有するグリップとを備え、
前記グリップのボタン操作部を操作したとき、該ボタン操作部に対応する前記ボタン押下ユニット手段の押し突起が突出し、対面する携帯ゲーム機筐体のボタンをオン動作させることを特徴とする。
本発明の請求項２は請求項１記載の発明において前記筐体支持枠に接続されたグリップは縦長の矩形状であり、前面に十字ボタン操作部および各機能ボタン操作部を縦方向に配置したことを特徴とする。
本発明の請求項３は請求項２記載の発明において前記十字ボタン操作部の上位置の前面に左側面ボタン操作部および右側面ボタン操作部を配置したことを特徴とする。
本発明の請求項４は請求項３記載の発明において前記左側面ボタン操作部および右側面ボタン操作部を前面の横方向または縦方向に配置したことを特徴とする。
本発明の請求項５は請求項１，２，３または４記載の発明において前記十字ボタン操作部および各機能ボタン操作部に対応するボタン押下ユニットは、十字状の４つの押し突起を有し、各押し突起で対面する十字ボタンおよび各機能ボタンをオン動作させることを特徴とする。
本発明の請求項６は請求項１，２，３，４または５記載の発明において前記十字ボタン押下ユニット手段および各機能ボタン押下ユニット手段は前記筐体支持枠に枢着され、携帯ゲーム機を前記筐体支持枠に装着固定するときは前記十字ボタン押下ユニット手段および各機能ボタン押下ユニット手段を前記携帯ゲーム機を装着固定する空間部から退避させ、装着固定後、元の位置に復帰させるように構成したことを特徴とする。
【発明の効果】
【００１０】
上記構成によれば、片手で把持して操作ができるため電車やバスの中でつり革や手すりに掴まりながらゲームができ、安全性が確保できる。また、片手に荷物を持っていてもゲーム機を操作することができる。さらに学習系のソフトでゲーム機を操作しながらノートをとることができる。また、片手に障害を持つ人たちがプレイできるゲームの数が増えることにもつながる。
【図面の簡単な説明】
【００１１】
【図１】本発明による携帯ゲーム機片手操作用アダプタの実施の形態を示す斜視図である。
【図２Ａ】左側面ボタン押下ユニットの動作を説明するための図である。
【図２Ｂ】各機能ボタン押下ユニットの動作を説明するための図である。
【図３】グリップの回転部の動作を説明するための図である。
【図４】各ボタンスイッチにより各押下機構が作動する回路の実施の形態を示す図である。
【図５Ａ】本発明による携帯ゲーム機片手操作用アダプタに一面式携帯ゲーム機を取り付けた状態を示す正面図である。
【図５Ｂ】本発明による携帯ゲーム機片手操作用アダプタに折り畳み式携帯ゲーム機を取り付けた状態を示す正面図である。
【図６】本発明による携帯ゲーム機片手操作用アダプタを把持した状態を示す斜視図である。
【図７】グリップの左および右側面ボタン操作部の配置の他の実施の形態を示す図である。
【図８Ａ】図７の実施の形態の携帯ゲーム機片手操作用アダプタに一面式携帯ゲーム機を取り付けた状態を示す正面図である。
【図８Ｂ】図７の実施の形態の携帯ゲーム機片手操作用アダプタに折り畳み式携帯ゲーム機を取り付けた状態を示す正面図である。
【発明を実施するための形態】
【００１２】
以下、図１〜図８Ｂを参照して本発明の実施の形態を詳しく説明する。
図１において、携帯ゲーム機片手操作用アダプタ９はグリップ１０，筐体支持枠１１および複数のボタン押下ユニット１，２，３，４より構成されている。
グリップ１０は片手で掴むことができる大きさの直方体形状であり、上部に回転部１０ａを有している。回転部１０ａに左側面ボタン操作部５，右側面ボタン操作部６が縦方向に配置されている。また回転部１０ａの下部に十字ボタン操作部７が、さらにその下側に各機能ボタン操作部８が配置されている。各機能ボタンは上下左右に配置された第１ボタン８ａ，第２ボタン８ｂ，第３ボタン８ｃおよび第４ボタン８ｄよりなる４つのボタンである。携帯ゲーム機では例えば、第１ボタン８ａは決定ボタン，第２ボタン８ｂはキャンセルボタン，第３ボタン８ｃはメニューボタンなどに対応付けられる。
【００１３】
筐体支持枠１１はグリップ結合部１１ａおよびグリップ結合部１１ａ下部の両側から伸びる筐体挟持部１１ｂより構成され、両側の筐体挟持部１１ｂ，１１ｂの先端部にそれぞれ左側面ボタン押下ユニット１および右側面ボタン押下ユニット２が結合されている。
さらに両側の筐体挟持部１１ｂ，１１ｂの略中央に十字ボタン押下ユニット３および各機能ボタン押下ユニット４が蝶番３ａ，４ａにより枢着されている。携帯ゲーム機を装着する場合、十字ボタン押下ユニット３および各機能ボタン押下ユニット４を矢印の方向に１８０度回転させて退避させ、携帯ゲーム機装着後は図１に示す位置に戻す。
【００１４】
左側面ボタン押下ユニット１および右側面ボタン押下ユニット２の押し突起（図２Ａ参照）は下面１ａおよび２ａにそれぞれ設けられている。また、十字ボタン押下ユニット３および各機能ボタン押下ユニット４の押し突起（図２Ｂ参照）は背面３ｂおよび４ｂにそれぞれ設けられている。
図２Ａは左側面ボタン押下ユニットの動作を説明するための図で、グリップおよび左側面ボタン押下ユニットを個別に示したものである。
左側面ボタン押下ユニット１の下面１ａに収納孔１５を有し、この孔１５内に押し突起１６が収納されている。左側面ボタン操作部５を押すと、後述のスイッチがオンして押し突起１６が突出する。携帯ゲーム機の上側側面の左付近はＬボタンが設けられており、このＬボタンに上記孔１５が対面するように携帯ゲーム機は装着される。したがって、左側面ボタン操作部５を押すことにより、携帯ゲーム機のＬボタンが押されオンする。
【００１５】
図２Ｂは各機能ボタン押下ユニットの動作を説明するための図で、グリップおよび各機能ボタン押下ユニットを個別に示したものである。
各機能ボタン押下ユニット４の背面４ｂに収納孔１８ａ，１８ｂ，１８ｃおよび１８ｄを有し、これら孔内に押し突起が収容されている。第１ボタン８ａを押すと、後述のスイッチがオンして押し突起２１が突出する。また、第２ボタン８ｂを押すと、押し突起２２が突出する。携帯ゲーム機の前面右付近は各機能ボタンが設けられており、この各機能ボタンに上記孔１８ａ，１８ｂ，１８ｃおよび１８ｄが対面するように携帯ゲーム機は装着される。したがって、各機能ボタン操作部８を押すことにより携帯ゲーム機の決定ボタン，キャンセルボタン，メニューボタンなどが押されオンする。
【００１６】
図３は、グリップの回転部の動作を説明するための図である。
左側面ボタン操作部５および右側面ボタン操作部６が（ａ）に示すように前面位置にある状態から、左方向に回転部１０ａを９０回転させると（ｂ）に示すようにグリップの左側部に左側面ボタン操作部５および右側面ボタン操作部６が移動する。また、右方向に回転部１０ａを９０回転させると（ｃ）に示すようにグリップの右側部に左側面ボタン操作部５および右側面ボタン操作部６が移動する。左右のいずれの手で把持してもこの部分の操作部は人指し指で操作することができる。
【００１７】
図４は各ボタンスイッチにより各押下機構が作動する回路の実施の形態を示す図である。
各ボタン操作部の下端位置にそれぞれ左側面ボタンスイッチ５ａ，右側面ボタンスイッチ６ａ，十字ボタンスイッチ７ａ，７ｂ，７ｃ，７ｄ，第１ボタンスイッチ８ｅ，第２ボタンスイッチ８ｆ，第３ボタンスイッチ８ｇ，第４ボタンスイッチ８ｈが設けられている。左側面ボタン押下機構５０はソレノイド駆動部，ソレノイドおよび押し突起から構成され、これらは左側面ボタン押下ユニット１内に収容されている。同様に構成された右側面ボタン押下機構６０の各部も右側面ボタン押下ユニット２内に収容されている。
また十字ボタンの上ボタン押下機構７１，下ボタン押下機構７２，左ボタン押下機構７３，右ボタン押下機構７４もそれぞれソレノイド駆動部，ソレノイドおよび押し突起から構成され、これらは十字ボタン押下ユニット３内に収容されている。さらに各機能ボタンの第１ボタン押下機構８１，第２ボタン押下機構８２，第３ボタン押下機構８３，第４ボタン押下機構８４もそれぞれソレノイド駆動部，ソレノイドおよび押し突起から構成され、これらは各機能ボタン押下ユニット４内に収容されている。
【００１８】
各スイッチ５ａ，６ａ，７ａ，７ｂ，７ｃ，７ｄ，８ｅ，８ｆ，８ｇ，８ｈのオンによって各ボタン押下機構を構成するソレノイド駆動部に電池１２の電力が供給されソレノイドが作動し、ボタン押下ユニットの押し突起が退避状態から突出状態となり、携帯ゲーム機の対応のボタンは押され、携帯ゲーム機に入力信号が送られる。
【００１９】
図５Ａは本発明による携帯ゲーム機片手操作用アダプタに一面式携帯ゲーム機を取り付けた状態を示す正面図である。
ここで、一面式携帯ゲーム機とは１枚の薄型筐体で構成され、中央に液晶パネルが配置され、その左右にボタンが配置された外観形状のゲーム機と定義する。
十字ボタン押下ユニット３を左に１８０度，各機能ボタン押下ユニット４を右に１８０度それぞれ回転させた状態で、上から一面式携帯ゲーム機２３を筐体支持枠１１内に装着し、十字ボタン押下ユニット３および各機能ボタン押下ユニット４を元の位置に回転させることにより図５Ａに示すような状態となる。
この状態で左側面ボタン押下ユニット１，右側面ボタン押下ユニット２，十字ボタン押下ユニット３，各機能ボタン押下ユニット４の押し突起は携帯ゲーム機のＬボタン，Ｒボタン，十字ボタンの各方向ボタン，各機能ボタンの４つのボタンに対面する。
【００２０】
図５Ｂは本発明による携帯ゲーム機片手操作用アダプタに折り畳み式携帯ゲーム機を取り付けた状態を示す正面図である。
十字ボタン押下ユニット３を左に１８０度，各機能ボタン押下ユニット４を右に１８０度それぞれ回転させた状態で、上から折り畳み式携帯ゲーム機２７の下側筐体を筐体支持枠１１内に装着し、十字ボタン押下ユニット３および各機能ボタン押下ユニット４を元の位置に回転させることにより図５Ｂに示すような状態となる。
折り畳み式携帯ゲーム機は下側筐体の上側側面にはボタンは存在しないので、左側面ボタン操作部５，右側面ボタン操作部６は使用しない。
タッチ式液晶パネル２９を有する下側筐体を筐体支持枠１１に装着し、上側筐体の液晶パネル２８を開いた状態で携帯ゲーム機片手操作用アダプタにセットできる。
【００２１】
図６は本発明による携帯ゲーム機片手操作用アダプタを把持した状態を示す斜視図である。
グリップ１０を右手４０で把持しており、十字ボタン操作部７および各機能ボタン操作部８は親指４０ａで操作でき、左側面ボタン操作部５および右側面ボタン操作部６も親指で操作することができる。左側面ボタン操作部５および右側面ボタン操作部６については回転部１０ａを回転すれば、人指し指で操作することも可能である。
【００２２】
図７はグリップの左および右側面ボタン操作部の配置の他の実施の形態を示す図である。
左側面ボタン操作部４５と右側面ボタン操作部４６を縦方向に配置するのではなく、横方向に配置したものである。親指で押す場合、縦方向の配置より操作性が優れた構成である。
【００２３】
図８Ａは図７の実施の形態の携帯ゲーム機片手操作用アダプタに一面式携帯ゲーム機を取り付けた状態を、図８Ｂは図７の実施の形態の携帯ゲーム機片手操作用アダプタに折り畳み式携帯ゲーム機を取り付けた状態を示す正面図である。
左側面ボタン操作部４５と右側面ボタン操作部４６を横方向に配置した携帯ゲーム機片手操作用アダプタであっても携帯ゲーム機の装着構造は変わることはない。
【００２４】
以上の実施の携帯は、２種類のタイプの携帯ゲーム機外観形状に対応する例を示したが、各携帯ゲーム機はそれぞれ形状の大きさが異なるため、各タイプ毎に携帯ゲーム機片手操作用アダプタを作ることも可能である。
また、実施の形態より多くのボタンを持つ携帯ゲーム機の場合には、ボタン押下ユニットをその数に対応させて増加させることも可能である。
さらに十字ボタン押下ユニットおよび各機能ボタン押下ユニットを１８０度回転させて一旦退避させてから携帯ゲーム機を装着する例を示したが、携帯ゲーム機装着の方法は押下ユニットを退避させることなく、携帯ゲーム機を横からスライドさせて装着する構造も本発明の範囲に属するものである。
【産業上の利用可能性】
【００２５】
携帯ゲーム機を装着する片手操作用アダプタである。
【符号の説明】
【００２６】
１  左側面ボタン押下ユニット
２  右側面ボタン押下ユニット
３  十字ボタン押下ユニット
４  各機能ボタン押下ユニット
５，４５  左側面ボタン操作部
６，４６  右側面ボタン操作部
７  十字ボタン操作部
８  各機能ボタン操作部
１０  グリップ
１０ａ  回転部
１１  筐体支持枠
１５，１８ａ，１８ｂ，１８ｃ，１８ｄ  収納孔
１６，２１，２２  押し突起
２３  一面式携帯ゲーム機
２４，２８  液晶パネル
２７  折り畳み式携帯ゲーム機
２９  タッチ式液晶パネル
４０  手
５０  左側面ボタン押下機構
６０  右側面ボタン押下機構
７１  上ボタン押下機構
７２  下ボタン押下機構
７３  左ボタン押下機構
７４  右ボタン押下機構
８１  第１ボタン押下機構
８２  第２ボタン押下機構
８３  第３ボタン押下機構
８４  第４ボタン押下機構
【図１】
2010178866.tif 000003
【図２Ａ】
2010178866.tif 000004
【図２Ｂ】
2010178866.tif 000005
【図３】
2010178866.tif 000006
【図４】
2010178866.tif 000007
【図５Ａ】
2010178866.tif 000008
【図５Ｂ】
2010178866.tif 000009
【図６】
2010178866.tif 000010
【図７】
2010178866.tif 000011
【図８Ａ】
2010178866.tif 000012
【図８Ｂ】
2010178866.tif 000013